(57)【特許請求の範囲】
【請求項１】
ユーザ機器（ＵＥ）によって、ブロードキャスト送信機から第１のタイムスロット中に第１のパケットを受信することと、
前記第１のタイムスロット中に受信された否定応答（ＮＡＣＫ）の電力レベルを測定することと、
第２のタイムスロット中に前記第１のパケットを受信することと、
前記第２のタイムスロット中に前記第１のパケットを受信することに応答して、前記ＮＡＣＫの前記測定された電力レベルに基づいて、前記第２のタイムスロット中に前記第１のパケットを送信すべきかどうかを決定することと、
前記ＮＡＣＫの前記測定された電力レベルがしきい値電力レベルを上回ると決定することに応答して、前記ＵＥに関連する優先度に基づく送信電力レベルを使用して、前記第１のパケットを送信することと、
を備える、ワイヤレス通信の方法。
【請求項２】
前記測定することが、
受信された肯定応答（ＡＣＫ）の電力レベルを測定すること
をさらに備え、前記決定が、前記ＡＣＫの前記測定された電力レベルにさらに基づく、請求項１に記載の方法。
【請求項３】
前記ＵＥが、リレーとして働くときに最も優先度の低いＵＥとして構成され、前記送信のための前記送信電力レベルが、前記ＵＥがシステム中の受信機との干渉を生じさせないように、前記最も優先度の低い構成に基づいて、選択される、請求項１に記載の方法。
【請求項４】
前記ＵＥが、前記ブロードキャスト送信機と等価な優先度として構成され、前記送信のための前記送信電力レベルが、前記ＵＥがシステム中のより優先度の高い受信機への干渉を生じさせないように、前記等価な優先度の構成に基づいて、選択される、請求項１に記載の方法。
【請求項５】
前記送信することが、前記第２のタイムスロット中に前記第１のパケットとともに送信要求（ＲＴＳ）を送信することをさらに備える、請求項１に記載の方法。
【請求項６】
前記ＲＴＳが、ＲＴＳを送信するために前記ブロードキャスト送信機によって使用される制御リソースを使用して、前記ＵＥによって送信される、請求項５に記載の方法。
【請求項７】
前記ＲＴＳが、ＲＴＳを送信するために前記ブロードキャスト送信機によって使用される制御リソースとは異なる制御リソースを使用して、前記ＵＥによって送信される、請求項５に記載の方法。
【請求項８】
前記第１のパケットを送信するために使用される送信電力が、送信可（ＣＴＳ）受信電力にさらに基づく、請求項５に記載の方法。
【請求項９】
前記第１のパケットの正常な受信に応答して前記第１のタイムスロット中にＡＣＫを送信すること
をさらに備える、請求項１に記載の方法。
【請求項１０】
前記ＮＡＣＫの前記測定された電力レベルがしきい値電力レベルを上回らないと決定することに応答して、前記第１のパケットを送信することを控えること
をさらに備える、請求項１に記載の方法。
【請求項１１】
ユーザ機器（ＵＥ）によって、ブロードキャスト送信機から第１のタイムスロット中に第１のパケットを受信するための手段と、
前記第１のタイムスロット中に受信された否定応答（ＮＡＣＫ）の電力レベルを測定するための手段と、
ここにおいて、受信するための前記手段が、第２のタイムスロット中に前記第１のパケットを受信するようにさらに構成され、
前記第２のタイムスロット中に前記第１のパケットを受信することに応答して、前記ＮＡＣＫの前記測定された電力レベルに基づいて、前記第２のタイムスロット中に前記第１のパケットを送信すべきかどうかを決定するための手段と、
前記ＮＡＣＫの前記測定された電力レベルがしきい値電力レベルを上回ると決定することに応答して、前記ＵＥに関連する優先度に基づく送信電力レベルを使用して、前記第２のタイムスロット中に前記第１のパケットを送信するための手段と、
を備える、通信のための装置。
【請求項１２】
測定するための前記手段が、
受信された肯定応答（ＡＣＫ）の電力レベルを測定するようにさらに構成され、前記決定が、前記ＡＣＫの前記測定された電力レベルにさらに基づく、請求項１１に記載の装置。
【請求項１３】
前記ＵＥが、リレーとして働くときに最も優先度の低いＵＥとして構成され、前記送信のための前記送信電力レベルが、前記ＵＥがシステム中の受信機との干渉を生じさせないように、前記最も優先度の低い構成に基づいて、選択される、請求項１１に記載の装置。
【請求項１４】
前記ＵＥが、前記ブロードキャスト送信機と等価な優先度として構成され、前記送信のための前記送信電力レベルが、前記ＵＥがシステム中のより優先度の高い受信機への干渉を生じさせないように、前記等価な優先度の構成に基づいて、選択される、請求項１１に記載の装置。
【請求項１５】
送信するための前記手段が、前記第２のタイムスロット中に前記第１のパケットとともに送信要求（ＲＴＳ）を送信するようにさらに構成された、請求項１１に記載の装置。
【請求項１６】
前記ＲＴＳが、ＲＴＳを送信するために前記ブロードキャスト送信機によって使用される制御リソースを使用して、前記ＵＥによって送信される、請求項１５に記載の装置。
【請求項１７】
前記ＲＴＳが、ＲＴＳを送信するために前記ブロードキャスト送信機によって使用される制御リソースとは異なる制御リソースを使用して、前記ＵＥによって送信される、請求項１５に記載の装置。
【請求項１８】
前記第１のパケットを送信するために使用される送信電力が、送信可（ＣＴＳ）受信電力にさらに基づく、請求項１５に記載の装置。
【請求項１９】
前記第１のパケットの正常な受信に応答して前記第１のタイムスロット中にＡＣＫを送信するための手段
をさらに備える、請求項１１に記載の装置。
【請求項２０】
前記ＮＡＣＫの前記測定された電力レベルがしきい値電力レベルを上回らないと決定することに応答して、前記第１のパケットを送信することを控えるための手段
をさらに備える、請求項１１に記載の装置。
【請求項２１】
メモリと、
前記メモリに結合された少なくとも１つのプロセッサと
を備え、前記少なくとも１つのプロセッサは、
ユーザ機器（ＵＥ）によって、ブロードキャスト送信機から第１のタイムスロット中に第１のパケットを受信することと、
前記第１のタイムスロット中に受信された否定応答（ＮＡＣＫ）の電力レベルを測定することと、
第２のタイムスロット中に前記第１のパケットを受信することと、
前記第２のタイムスロット中に前記第１のパケットを受信することに応答して、前記ＮＡＣＫの前記測定された電力レベルに基づいて、前記第２のタイムスロット中に前記第１のパケットを送信すべきかどうかを決定することと、
前記ＮＡＣＫの前記測定された電力レベルがしきい値電力レベルを上回るとの決定に応答して、前記ＵＥに関連する優先度に基づく送信電力レベルを使用して、前記第２のタイムスロット中に前記第１のパケットを送信することと、
を行うように構成される、通信のための装置。
【請求項２２】
前記少なくとも１つのプロセッサは、
受信された肯定応答（ＡＣＫ）の電力レベルを測定することと、
前記ＡＣＫの前記測定された電力レベルにさらに基づいて、前記第２のタイムスロット中に前記第１のパケットを送信すべきかどうかを決定することと
を行うようにさらに構成された、請求項２１に記載の装置。
【請求項２３】
前記ＵＥが、リレーとして働くときに最も優先度の低いＵＥとして構成され、前記少なくとも１つのプロセッサが、前記ＵＥがシステム中の受信機との干渉を生じさせないように、前記最も優先度の低い構成に基づいて選択される前記送信電力レベルで送信するようにさらに構成された、請求項２１に記載の装置。
【請求項２４】
前記ＵＥが、前記ブロードキャスト送信機と等価な優先度として構成され、前記少なくとも１つのプロセッサが、前記ＵＥがシステム中のより優先度の高い受信機への干渉を生じさせないように、前記等価な優先度の構成に基づいて選択される前記送信電力レベルで送信するようにさらに構成された、請求項２１に記載の装置。
【請求項２５】
前記少なくとも１つのプロセッサが、前記第２のタイムスロット中に前記第１のパケットとともに送信要求（ＲＴＳ）を送信するようにさらに構成された、請求項２１に記載の装置。
【請求項２６】
前記少なくとも１つのプロセッサが、ＲＴＳを送信するために前記ブロードキャスト送信機によって使用される制御リソースを使用して、前記ＲＴＳを送信するようにさらに構成された、請求項２５に記載の装置。
【請求項２７】
前記少なくとも１つのプロセッサが、ＲＴＳを送信するために前記ブロードキャスト送信機によって使用される制御リソースとは異なる制御リソースを使用して、前記ＲＴＳを送信するようにさらに構成された、請求項２５に記載の装置。
【請求項２８】
前記第１のパケットを送信するために使用される送信電力が、送信可（ＣＴＳ）受信電力にさらに基づく、請求項２５に記載の装置。
【請求項２９】
前記少なくとも１つのプロセッサが、
前記第１のパケットの正常な受信に応答して前記第１のタイムスロット中にＡＣＫを送信する
ようにさらに構成された、請求項２１に記載の装置。
【請求項３０】
前記少なくとも１つのプロセッサが、
前記ＮＡＣＫの前記測定された電力レベルがしきい値電力レベルを上回らないと決定することに応答して、前記第１のパケットを送信することを控える
ようにさらに構成された、請求項２１に記載の装置。
【請求項３１】
ユーザ機器（ＵＥ）によって、ブロードキャスト送信機から第１のタイムスロット中に第１のパケットを受信することと、
前記第１のタイムスロット中に受信された否定応答（ＮＡＣＫ）の電力レベルを測定することと、
第２のタイムスロット中に前記第１のパケットを受信することと、
前記第２のタイムスロット中に前記第１のパケットを受信することに応答して、前記ＮＡＣＫの前記測定された電力レベルに基づいて、前記第２のタイムスロット中に前記第１のパケットを送信すべきかどうかを決定することと、
前記ＮＡＣＫの前記測定された電力レベルがしきい値電力レベルを上回ると決定することに応答して、前記ＵＥに関連する優先度に基づく送信電力レベルを使用して、前記第２のタイムスロット中に前記第１のパケットを送信することと、
を行うためのコードを備えるワイヤレス通信のためのコンピュータ実行可能命令を記憶する非一時的なコンピュータ可読媒体。
【請求項３２】
受信された肯定応答（ＡＣＫ）の電力レベルを測定する
ためのコードをさらに備え、前記決定が、前記ＡＣＫの前記測定された電力レベルにさらに基づく、請求項３１に記載の非一時的なコンピュータ可読媒体。
【請求項３３】
前記ＵＥが、リレーとして働くときに最も優先度の低いＵＥとして構成され、前記送信のための前記送信電力レベルが、前記ＵＥがシステム中の受信機との干渉を生じさせないように、前記最も優先度の低い構成に基づいて、選択される、請求項３１に記載の非一時的なコンピュータ可読媒体。
【請求項３４】
前記ＵＥが、前記ブロードキャスト送信機と等価な優先度として構成され、前記送信のための前記送信電力レベルが、前記ＵＥがシステム中のより優先度の高い受信機への干渉を生じさせないように、前記等価な優先度の構成に基づいて、選択される、請求項３１に記載の非一時的なコンピュータ可読媒体。
【請求項３５】
前記第２のタイムスロット中に前記第１のパケットとともに送信要求（ＲＴＳ）を送信するためのコードをさらに備える、請求項３１に記載の非一時的なコンピュータ可読媒体。
【請求項３６】
前記ＲＴＳが、ＲＴＳを送信するために前記ブロードキャスト送信機によって使用される制御リソースを使用して、前記ＵＥによって送信される、請求項３５に記載の非一時的なコンピュータ可読媒体。
【請求項３７】
前記ＲＴＳが、ＲＴＳを送信するために前記ブロードキャスト送信機によって使用される制御リソースとは異なる制御リソースを使用して、前記ＵＥによって送信される、請求項３５に記載の非一時的なコンピュータ可読媒体。
【請求項３８】
前記第１のパケットを送信するために使用される送信電力が、送信可（ＣＴＳ）受信電力にさらに基づく、請求項３５に記載の非一時的なコンピュータ可読媒体。
【請求項３９】
前記第１のパケットの正常な受信に応答して前記第１のタイムスロット中にＡＣＫを送信する
ためのコードをさらに備える、請求項３１に記載の非一時的なコンピュータ可読媒体。
【請求項４０】
前記ＮＡＣＫの前記測定された電力レベルがしきい値電力レベルを上回らないと決定することに応答して、前記第１のパケットを送信することを控える
ためのコードをさらに備える、請求項３１に記載の非一時的なコンピュータ可読媒体。
【発明の詳細な説明】
【技術分野】
【０００１】
関連出願の相互参照
[0001]本出願は、その全体が参照により本明細書に明確に組み込まれる、２０１３年７月２２日に出願された「METHOD AND APPARATUS FOR USE OF A RELAY SCHEMED TO FACILITATE EFFICIENT BROADCAST COMMUNICATION IN DEVICE TO DEVICE ENVIRONMENT」と題する米国非仮出願第１３／９４７，９８９号の優先権を主張する。
【０００２】
[0002]本開示は、一般に通信システムに関し、より詳細には、ブロードキャストデバイス間（Ｄ２Ｄ：device to device）通信システムにおけるブロードキャスティングユーザ機器（ＵＥ：user equipment）からのコンテンツの通信に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。電気通信規格の一例はＬＴＥ（登録商標）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。ＬＴＥは直接デバイス間（ピアツーピア）通信をサポートし得る。
【０００５】
[0005]ブロードキャストＤ２Ｄ通信システムでは、複数のブロードキャスト受信機ＵＥにブロードキャストする単一の送信機ＵＥがあり得、ブロードキャスト送信機ＵＥの目的は、あらゆるパケットが、対象とする受信機ＵＥの少なくとも一部（たとえば、９０％）によって受信されることを保証することである。対象とする受信機は、それらがパケットを受信しなかったときに否定応答（ＮＡＣＫ）信号を送り得、場合によっては、それらがパケットを受信したときに肯定応答（ＡＣＫ）信号を送り得る。ある割合の対象とする受信機ＵＥがＮＡＣＫ信号を送る場合、ブロードキャスト送信機ＵＥは同じパケットを送信し続け得る。したがって、システム性能はブロードキャスト送信機ＵＥと対象とする受信機ＵＥとの間の最大経路損失に少なくとも部分的に依存する（たとえば、不十分なチャネル状態をもつ（１つまたは複数の）受信機は、パケットを受信するのに比較的より長い時間がかかり得る）。同じパケットの反復送信は、システムスループット、ならびにその特定のブロードキャストセッションの間のスループットを低減する。
【０００６】
[0006]したがって、ブロードキャストＤ２Ｄ通信システムにおけるパケット通信を改善するシステムおよび方法が望まれ得る。
【発明の概要】
【０００７】
[0007]以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
[0008]１つまたは複数の態様およびその対応する開示に従って、ブロードキャストＤ２Ｄ通信システムにおけるパケット通信を改善することに関して、様々な態様について説明する。一例では、通信デバイスは、ブロードキャスト送信機から第１のタイムスロット中に第１のパケットを受信することと、第１のタイムスロット中に受信されたＮＡＣＫの電力レベルを測定することと、第２のタイムスロット中に第１のパケットを受信することと、ＮＡＣＫの測定された電力レベルに基づいて、第２のタイムスロット中に第１のパケットを送信すべきかどうかを決定することとを行う能力がある。通信デバイスが、ＮＡＣＫの測定された電力レベルがしきい値電力レベルを上回ると決定するそのような態様では、通信デバイスはリレーとして働き、第２のタイムスロット中に第１のパケットを送信し得る。
【０００９】
[0009]関係する態様によれば、ブロードキャストＤ２Ｄ通信システムにおけるパケット通信を改善するための方法が提供される。本方法は、ＵＥによって、ブロードキャスト送信機から第１のタイムスロット中に第１のパケットを受信することを含むことができる。さらに、本方法は、第１のタイムスロット中に受信されたＮＡＣＫの電力レベルを測定することを含むことができる。さらに、本方法は、第２のタイムスロット中に第１のパケットを受信することを含むことができる。その上、本方法は、ＮＡＣＫの測定された電力レベルに基づいて、第２のタイムスロット中に第１のパケットを送信すべきかどうかを決定することを含み得る。
【００１０】
[0010]別の態様は、ブロードキャストＤ２Ｄ通信システムにおけるパケット通信を改善することが可能な通信装置に関する。本通信装置は、ＵＥによって、ブロードキャスト送信機から第１のタイムスロット中に第１のパケットを受信するための手段を含むことができる。さらに、本通信装置は、第１のタイムスロット中に受信されたＮＡＣＫの電力レベルを測定するための手段を含むことができる。さらに、受信するための通信装置手段は、第２のタイムスロット中に第１のパケットを受信するようにさらに構成され得る。その上、本通信装置は、ＮＡＣＫの測定された電力レベルに基づいて、第２のタイムスロット中に第１のパケットを送信すべきかどうかを決定するための手段を含むことができる。
【００１１】
[0011]別の態様は通信装置に関する。本装置は、ＵＥによって、ブロードキャスト送信機から第１のタイムスロット中に第１のパケットを受信するように構成された処理システムを含むことができる。さらに、処理システムは、第１のタイムスロット中に受信されたＮＡＣＫの電力レベルを測定するように構成され得る。さらに、処理システムは、第２のタイムスロット中に第１のパケットを受信するようにさらに構成され得る。その上、処理システムは、ＮＡＣＫの測定された電力レベルに基づいて、第２のタイムスロット中に第１のパケットを送信すべきかどうかを決定するようにさらに構成され得る。
【００１２】
[0012]さらに別の態様は、ＵＥによって、ブロードキャスト送信機から第１のタイムスロット中に第１のパケットを受信するためのコードを含むコンピュータ可読媒体を有することができるコンピュータプログラム製品に関する。さらに、コンピュータ可読媒体は、第１のタイムスロット中に受信されたＮＡＣＫの電力レベルを測定するためのコードを含み得る。さらに、コンピュータ可読媒体は、第２のタイムスロット中に第１のパケットを受信するためのコードを含み得る。その上、コンピュータ可読媒体は、ＮＡＣＫの測定された電力レベルに基づいて、第２のタイムスロット中に第１のパケットを送信すべきかどうかを決定するためのコードを含むことができる。
【００１３】
[0013]上記および関係する目的を達成するために、１つまたは複数の態様は、以下で十分に説明し、特に特許請求の範囲で指摘する特徴を備える。以下の説明および添付の図面に、１つまたは複数の態様のうちのいくつかの例示的な特徴を詳細に記載する。ただし、これらの特徴は、様々な態様の原理が採用され得る様々な方法のうちのほんのいくつかを示すものであり、この説明は、すべてのそのような態様およびそれらの均等物を含むものとする。
【図面の簡単な説明】
【００１４】
【図１】[0014]ネットワークアーキテクチャの一例を示す図。
【図２】[0015]アクセスネットワークの一例を示す図。
【図３】[0016]ＬＴＥにおけるＤＬフレーム構造の一例を示す図。
【図４】[0017]ＬＴＥにおけるＵＬフレーム構造の一例を示す図。
【図５】[0018]アクセスネットワーク中の発展型ノードＢおよびユーザ機器の一例を示す図。
【図６】[0019]デバイス間通信ネットワークを示す図。
【図７】[0020]一態様による、ブロードキャストＤ２Ｄ通信システムにおけるパケット通信を改善するように構成されたデバイス間通信ネットワークを示す図。
【図８】[0021]ワイヤレス通信の第１の方法のフローチャート。
【図９】[0022]例示的な装置中の異なるモジュール／手段／構成要素間のデータフローを示す概念データフロー図。
【図１０】[0023]処理システムを採用する装置のためのハードウェア実装形態の一例を示す図。
【発明を実施するための形態】
【００１５】
[0024]添付の図面に関して以下に記載する発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１６】
[0025]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１７】
[0026]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１８】
[0027]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスできる任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００１９】
[0028]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００２０】
[0029]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ｅＮＢ１０６は、基地局、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２１】
[0030]ＵＥ１０２はＤ２Ｄ接続１０３を形成し得る。一態様では、Ｄ２Ｄ接続１０３は、ＵＥ１０２が互いに通信することを可能にするように構成され得る。別の態様では、ＵＥ１０２は、Ｄ２Ｄ接続１０３を使用して互いに通信することが可能であるＵＥのグループのリーダーとして働き得る。Ｄ２Ｄ接続１０３の例がＩＥＥＥ８０２．１１ｐベース通信に関して与えられる。ＩＥＥＥ８０２．１１ｐベースの専用短距離通信（ＤＳＲＣ）波システムは基本的な安全メッセージフォーマットを与え、そこで、デバイス（たとえば、車両）はそれらの位置、速度および他の属性を他のデバイス（たとえば、他の車両）に周期的に告知し、それにより、近隣トラフィックがそれらの位置を追跡すること、衝突を回避すること、トラフィックフローを改善することなどが可能になり得る。さらに、これらのシステムにおける通信プロトコルは、（それらのユーザ機器（ＵＥ）をもつ）歩行者が、このスペクトルを利用することと、歩行者の周りの車両に歩行者の存在などの情報を示すことができる基本的な安全メッセージを周期的に送信することとを妨げない。
【００２２】
[0031]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２３】
[0032]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ：home eNB））、ピコセル、マイクロセル、またはリモートラジオヘッド（ＲＲＨ：remote radio head）であり得る。マクロｅＮＢ２０４は各々、それぞれのセル２０２に割り当てられ、セル２０２中のすべてのＵＥ２０６、２１２にＥＰＣ１１０へのアクセスポイントを与えるように構成される。ＵＥ２１２のうちのいくつかはデバイス間通信中であり得る。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００２４】
[0033]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは、３ＧＰＰ２という組織からの文書に記載されている。採用される実際のワイヤレス通信規格および多元接続技術は、特定の適用例およびシステムに課せられる全体的な設計制約に依存することになる。
【００２５】
[0034]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続するサブキャリアを含んでおり、各ＯＦＤＭシンボル中のノーマルサイクリックプレフィックスについて、時間領域中に７個の連続するＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。物理ＤＬ制御チャネル（ＰＤＣＣＨ）、物理ＤＬ共有チャネル（ＰＤＳＣＨ）、および他のチャネルはリソース要素にマッピングされ得る。
【００２６】
[0035]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００２７】
[0036]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２８】
[0037]初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２９】
[0038]図５は、アクセスネットワーク中でＵＥ５５０と通信しているｅＮＢ５１０のブロック図である。ＤＬでは、コアネットワークからの上位レイヤパケットが、コントローラ／プロセッサ５７５に与えられる。コントローラ／プロセッサ５７５はＬ２レイヤの機能を実装する。ＤＬでは、コントローラ／プロセッサ５７５は、様々な優先度メトリックに基づいて、ヘッダ圧縮と、暗号化と、パケットのセグメント化および並べ替えと、論理チャネルとトランスポートチャネルとの間の多重化と、ＵＥ５５０への無線リソース割振りとを行う。コントローラ／プロセッサ５７５はまた、ＨＡＲＱ動作と、紛失パケットの再送信と、ＵＥ５５０へのシグナリングとを担当する。
【００３０】
[0039]送信（ＴＸ）プロセッサ５１６は、Ｌ１レイヤ（すなわち、物理レイヤ）のための様々な信号処理機能を実装する。信号処理機能は、ＵＥ５５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器５７４からのチャネル推定値は、コーディングおよび変調方式を判断するために、ならびに空間処理のために使用され得る。チャネル推定値は、ＵＥ５５０によって送信される基準信号および／またはチャネル状態フィードバックから導出され得る。各空間ストリームは、次いで、別個の送信機５１８ＴＸを介して異なるアンテナ５２０に与えられる。各送信機５１８ＴＸは、送信のためにそれぞれの空間ストリームでＲＦキャリアを変調する。
【００３１】
[0040]ＵＥ５５０において、各受信機５５４ＲＸは、それのそれぞれのアンテナ５５２を通して信号を受信する。別の態様では、ＵＥ５５０は、ＵＥ５５０がｅＮＢ５１０と通信する方法と同様に他のＵＥと通信し得る。各受信機５５４ＲＸは、ＲＦキャリア上に変調された情報を復元し、受信（ＲＸ）プロセッサ５５６に情報を与える。ＲＸプロセッサ５５６は、Ｌ１レイヤの様々な信号処理機能を実装する。ＲＸプロセッサ５５６は、ＵＥ５５０に宛てられた任意の空間ストリームを復元するために、情報に対して空間処理を実行する。複数の空間ストリームがＵＥ５５０に宛てられた場合、それらはＲＸプロセッサ５５６によって単一のＯＦＤＭシンボルストリームに合成され得る。ＲＸプロセッサ５５６は、次いで高速フーリエ変換（ＦＦＴ：Fast Fourier Transform）を使用してＯＦＤＭシンボルストリームを時間領域から周波数領域に変換する。周波数領域信号はＯＦＤＭ信号のサブキャリアごとに別々のＯＦＤＭシンボルストリームを備える。各サブキャリア上のシンボルと基準信号とは、ｅＮＢ５１０によって送信される、可能性が最も高い信号のコンスタレーションポイントを判断することによって復元され、復調される。これらの軟判定は、チャネル推定器５５８によって計算されるチャネル推定値に基づき得る。軟判定は、次いで、物理チャネル上でｅＮＢ５１０によって最初に送信されたデータおよび制御信号を復元するために復号され、デインターリーブされる。データおよび制御信号は、次いで、コントローラ／プロセッサ５５９に与えられる。
【００３２】
[0041]コントローラ／プロセッサ５５９はＬ２レイヤを実装する。コントローラ／プロセッサは、プログラムコードとデータとを記憶するメモリ５６０に関連付けられ得る。メモリ５６０は、コンピュータ可読媒体と呼ばれることがある。ＵＬでは、コントローラ／プロセッサ５５９は、コアネットワークからの上位レイヤパケットを復元するために、トランスポートチャネルと論理チャネルとの間の多重分離と、パケットリアセンブリと、復号（decipher）と、ヘッダ復元（decompression）と、制御信号処理とを行う。上位レイヤパケットは、次いで、Ｌ２レイヤの上のすべてのプロトコルレイヤを表すデータシンク５６２に与えられる。また、様々な制御信号がＬ３処理のためにデータシンク５６２に与えられ得る。コントローラ／プロセッサ５５９はまた、ＨＡＲＱ動作をサポートするために肯定応答（ＡＣＫ）および／または否定応答（ＮＡＣＫ）プロトコルを使用した誤り検出を担当する。
【００３３】
[0042]ＵＬでは、データソース５６７は、コントローラ／プロセッサ５５９に上位レイヤパケットを与えるために使用される。データソース５６７は、Ｌ２レイヤの上のすべてのプロトコルレイヤを表す。ｅＮＢ５１０によるＤＬ送信に関して説明した機能と同様に、コントローラ／プロセッサ５５９は、ヘッダ圧縮と、暗号化と、パケットのセグメント化および並べ替えと、ｅＮＢ５１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ５５９はまた、ＨＡＲＱ動作、紛失パケットの再送信、およびｅＮＢ５１０へのシグナリングを担当する。
【００３４】
[0043]ｅＮＢ５１０によって送信される基準信号またはフィードバックからの、チャネル推定器５５８によって導出されるチャネル推定値は、適切なコーディングおよび変調方式を選択することと、空間処理を可能にすることとを行うために、ＴＸプロセッサ５６８によって使用され得る。ＴＸプロセッサ５６８によって生成される空間ストリームは、別個の送信機５５４ＴＸを介して異なるアンテナ５５２に与えられる。各送信機５５４ＴＸは、送信のためにそれぞれの空間ストリームでＲＦキャリアを変調する。
【００３５】
[0044]ＵＬ送信は、ＵＥ５５０における受信機機能に関して説明した方法と同様の方法でｅＮＢ５１０において処理される。各受信機５１８ＲＸは、それのそれぞれのアンテナ５２０を通して信号を受信する。各受信機５１８ＲＸは、ＲＦキャリア上で変調された情報を復元し、ＲＸプロセッサ５７０に情報を与える。ＲＸプロセッサ５７０はＬ１レイヤを実装し得る。
【００３６】
[0045]コントローラ／プロセッサ５７５はＬ２レイヤを実装する。コントローラ／プロセッサ５７５は、プログラムコードとデータとを記憶するメモリ５７６に関連付けられ得る。メモリ５７６はコンピュータ可読媒体と呼ばれることがある。ＵＬでは、コントローラ／プロセッサ５７５は、ＵＥ５５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ５７５からの上位レイヤパケットはコアネットワークに与えられ得る。コントローラ／プロセッサ５７５はまた、ＨＡＲＱ動作をサポートするためにＡＣＫおよび／またはＮＡＣＫプロトコルを使用した誤り検出を担当する。
【００３７】
[0046]図６はデバイス間通信システム６００の図である。デバイス間通信システム６００は複数のワイヤレスデバイス６０４、６０６、６０８、６１０を含む。デバイス間通信システム６００は、たとえば、ワイヤレスワイドエリアネットワーク（ＷＷＡＮ）などのセルラー通信システムと重なり得る。ワイヤレスデバイス６０４、６０６、６０８、６１０の一部は、ＤＬ／ＵＬ  ＷＷＡＮスペクトルを使用してデバイス間通信において互いに通信し、一部は基地局６０２と通信し、一部は両方を行い得る。たとえば、図６に示されているように、ワイヤレスデバイス６０４、６０６はデバイス間通信中であり、ワイヤレスデバイス６０８、６１０はデバイス間通信中である。ワイヤレスデバイス６０４、６０６は基地局６０２とも通信している。
【００３８】
[0047]ワイヤレスデバイスは、代替的に、当業者によって、ユーザ機器、移動局、加入者局、モバイルユニット、加入者ユニット、ワイヤレスユニット、ワイヤレスノード、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることがある。基地局は、代替的に、当業者によって、アクセスポイント、送受信基地局、無線基地局、無線トランシーバ、トランシーバ機能、基本サービスセット（ＢＳＳ）、拡張サービスセット（ＥＳＳ）、ノードＢ、発展型ノードＢ、または何らかの他の好適な用語で呼ばれることがある。
【００３９】
[0048]以下で説明する例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスデバイス間通信システムなど、様々なワイヤレスデバイス間通信システムのいずれにも適用可能である。説明を簡略化するために、例示的な方法および装置についてＬＴＥのコンテキスト内で説明する。ただし、例示的な方法および装置は、様々な他のワイヤレスデバイス間通信システムにより一般的に適用可能であることを当業者は理解されよう。
【００４０】
[0049]図７は、ブロードキャストＤ２Ｄ通信をサポートするように構成された通信システム７００の図である。
【００４１】
[0050]一態様では、複数のＵＥ（たとえば、７０２〜７０８）がＵＥのグループ７２０を形成し得る。そのような態様では、ＵＥのグループ７２０のＵＥ７０２がブロードキャストＤ２Ｄ通信システム７００中のブロードキャスターＵＥとして働き得る。動作可能な態様では、ブロードキャスティングＵＥ７０２がブロードキャストＤ２Ｄ通信システム７００においてＵＥのグループ７２０中の他のＵＥにコンテンツ７２２をブロードキャストし得る。各ＵＥ（たとえば、７０４〜７０８）は受信されたコンテンツ７２２を復号することを試み得る。ＵＥ（たとえば、７０６、７０８）が受信されたコンテンツ７２２を復号することができない場合、（１つまたは複数の）ＵＥ（７０６、７０８）はブロードキャスティングＵＥ７０２に（１つまたは複数の）ＮＡＣＫ（７２４、７２６）を送信し得る。ＵＥのグループ７２０中の十分な数、割合などのＵＥがＮＡＣＫを送信するそのような動作可能な態様では、ブロードキャスティングＵＥ７０２はコンテンツ７２２を再送信する。
【００４２】
[0051]一態様では、コンテンツ７２２を正常に受信したＵＥ７０４が、コンテンツの第２のインスタンスを受信したときにリレーとして働くべきかどうかを決定し得る。ＵＥ７０４がリレーとして働く場合、それは、コンテンツ（７２２、７２８）を正常に復号するより大きい機会を他のＵＥ（７０６、７０８）に与えるように、コンテンツ７２８のインスタンスをブロードキャストし得る。
【００４３】
[0052]ブロードキャストセッション中の受信機ＵＥ（たとえば、ＵＥ７０４）がパケット（たとえば、コンテンツ７２２）を正常に受信すると、ＵＥ７０４は、そのパケットのためのリレーになるポテンシャルを有する。次の（または任意の後続の）タイムスロット中で、ブロードキャスティングＵＥ７０２が同じパケットを送信する場合、受信機ＵＥも同じパケットを送信し得る。たとえば、ＮＡＣＫ電力が（たとえば、しきい値と比較して）「低い」場合、ＵＥは第２のタイムスロット中に第１のパケットのためのリレーとして働かないことがある。測定されたＮＡＣＫ電力が（たとえば、しきい値と比較して）高い間場合、ＵＥは第２のタイムスロット（たとえば、タイムスロットＴ＋１）中に第１のパケットのためのリレーとして働き得る。この受信電力（たとえば、ＮＡＣＫ、ＡＣＫなど）ベースの決定は、第１のパケットの送信がネットワーク中でいつ有効になるかをＵＥが決定することを可能にする。たとえば、近くのノードからのＮＡＣＫが高電力で受信され、したがって、低電力で中継することが有効になり得、それはまた、他のノードへの多くの干渉を生じない。
【００４４】
[0053]一態様では、ＵＥはパッシブリレーまたはアクティブリレーとして働き得る。ＵＥがパッシブリレーとして働く場合、パケットは、送信要求（ＲＴＳ：request to send）信号を送ることなしに送信される。ＵＥがアクティブリレーとして働く場合、ＵＥはＲＴＳ信号を送信し得る。そのような態様では、ＲＴＳ信号は、元のブロードキャスト送信機と同じ制御リソース、または異なるリソース上で送られ得る。さらに、ＵＥがＲＴＳを送信する場合、それは、リレーとして働くべきかどうかを決定するのを支援するために、それが受信する送信可（ＣＴＳ：cleat-to-send）メッセージからの受信電力レベルを使用し得る。さらに、ＵＥによって使用される送信電力は、電力レベル（ＮＡＣＫ、ＡＣＫ、ＣＴＳなど）測定値の少なくとも部分的に基づき得る。さらに、ブロードキャストＤ２Ｄ通信システムは異なるメンバー（たとえば、ＵＥ）に異なる優先度レベルを割り振り得る。そのような態様では、リレーＵＥは、それ自体を「最低」優先度であるように扱い、他の（ユニキャストまたはブロードキャストまたは他の）リンクのいずれかへのあまりに多くの干渉を生じないように十分小さい送信電力を選定し得る。さらに、そのような態様では、ＵＥ送信電力は、受信されたＣＴＳ電力と比較しきい値とに基づいて決定され得る。別の態様では、リレーＵＥは、それ自体をそれ自体のブロードキャスト送信機と同じ優先度であるように扱い、より優先度の高い通信リンクのみへのあまりに多くの干渉を生じない電力を選定することができる（たとえば、ＵＥは、より優先度の低いリンクへの干渉を生じ得る）。言い換えれば、リレーＵＥは、ＡＣＫ／ＮＡＣＫ、ＣＴＳ電力、元のブロードキャスト送信機の優先度などに応じて、システム中の最高優先度であり得るよりも優先度値、または最低と最高との間の他の値を選択し得る。さらに、そのような態様では、ＵＥ送信電力は、受信されたＣＴＳ電力と比較しきい値とに基づいて決定され得る。
【００４５】
[0054]図８はワイヤレス通信の方法８００の流れ図である。本方法は、ブロードキャストＤ２Ｄ通信システム（たとえば、ブロードキャストＤ２Ｄ通信システム７００）中のＵＥ（たとえば、ＵＥ７０４）によって実行され得る。
【００４６】
[0055]ブロック８０２において、ＵＥは、ブロードキャスト送信機から第１のタイムスロット中に第１のパケットを受信する。ブロードキャストセッション中の受信機ＵＥがパケットを正常に受信すると、それはそのパケットのための潜在的リレーになる。たとえば、装置９０２は、受信モジュール９０４を使用してパケット９２０Ａの第１のインスタンスを受信し得、パケット復号モジュール９０６を使用してパケットを復号し得る。
【００４７】
[0056]随意の態様では、ブロック８０４において、ＵＥは、第１のパケットの正常な受信を示すために第１のタイムスロット中にＡＣＫを送信する。たとえば、パケット復号モジュール９０６は、パケット９２０Ａの受信された第１のインスタンス上で正常に復号したとき、ＡＣＫ９２２を生成し得、送信モジュール９１２を使用してブロードキャスティングＵＥ７０２にＡＣＫ９２２を送信し得る。
【００４８】
[0057]ブロック８０６において、ＵＥは、ブロードキャストＤ２Ｄ通信システム中の１つまたは複数の他の受信機ＵＥから受信されるＮＡＣＫを監視する。たとえば、装置９０２の受信モジュール９０４は、他の受信機ＵＥ７０６、７０８から受信された信号（たとえば、ＮＡＣＫ、ＡＣＫなど）９２４を監視し得る。ブロック８０６において、ＮＡＣＫが受信されない場合、ブロック８１６において、プロセスは終了する。
【００４９】
[0058]ブロック８０６において、ＵＥが１つまたは複数のＮＡＣＫを受信した場合、ブロック８０８において、ＵＥはＮＡＣＫの受信電力レベルを測定する。一態様では、ＵＥはまた、ブロードキャストＤ２Ｄ通信システム中の１つまたは複数の他の受信機ＵＥによって送信されたＡＣＫのための電力レベルを測定し得る。たとえば、受信モジュール９０４によって受信された（１つまたは複数の）信号９２４は（１つまたは複数の）受信された信号９２４の測定値を（１つまたは複数の）ＮＡＣＫ電力レベル測定モジュール９０８に与え得る。そのような例示的な態様では、（１つまたは複数の）ＮＡＣＫ電力レベル測定モジュール９０８は、信号９２４についての受信電力レベル測定値がしきい値を上回るかどうかに関する指示９２６を与え得る。
【００５０】
[0059]ブロック８１０において、ＵＥは、第２のタイムスロット中に同じパケット（たとえば、第１のパケットの第２のインスタンス）を受信する。たとえば、装置９０２は、受信モジュール９０４を使用してパケット９２０Ｂの第２のインスタンスを受信し得、パケット復号モジュール９０６を使用してパケットを復号し得る。
【００５１】
[0060]ブロック８１２において、ＵＥは、ブロードキャストＤ２Ｄ通信システム中のリレーとして働くべきかどうかを決定する。ＵＥは、第２のタイムスロット中に第１のパケットの送信にわたってリレーとして働き得る。ＵＥは、受信されたＮＡＣＫおよび／またはＡＣＫからの測定された電力レベルの少なくとも部分的に基づいてリレーとして働くべきかどうかを決定し得る。たとえば、ＮＡＣＫ電力が（たとえば、しきい値と比較して）「低い」場合、ＵＥは第２のタイムスロット中に第１のパケットのためのリレーとして働かないことがある。測定されたＮＡＣＫ電力が（たとえば、しきい値と比較して）高い間場合、ＵＥは第２のタイムスロット（たとえば、タイムスロットＴ＋１）中に第１のパケットのためのリレーとして働き得る。この受信電力（たとえば、ＮＡＣＫ、ＡＣＫなど）ベースの決定は、第１のパケットの送信がネットワーク中でいつ有効になるかをＵＥが決定することを可能にする。たとえば、近くのノードからのＮＡＣＫが高電力で受信され、したがって、低電力で中継することが有効になり得、それはまた、他のノードへの多くの干渉を生じない。例示的な態様では、パケットリレー決定モジュール９１０は、パケット復号モジュール９０６からパケット９２０の第２のインスタンスを受信し、（１つまたは複数の）ＮＡＣＫ電力レベル測定モジュール９０８から指示９２６を受信し得、装置９０２がリレーとして働くべきかどうかを決定し得る。
【００５２】
[0061]ブロック８１２において、ＵＥが、それがリレーとして働かないと決定した場合、ブロック８１６において、プロセスはブロック８１６において終了する。
【００５３】
[0062]ブロック８１２において、ＵＥが、リレーとして働くことを決定した場合、ブロック８１４において、ＵＥは第２のタイムスロット中に第１のパケットを送信する。例示的な態様では、装置９０２が、リレーとして働くことを決定した場合、パケットリレー決定モジュール９１０は、第２のタイムスロット中の送信のために送信モジュール９１２にパケット９２０Ｂの第２のインスタンスを与え得る。一態様では、ＵＥはパッシブリレーまたはアクティブリレーとして働き得る。ＵＥがパッシブリレーとして働く場合、パケットは、送信要求（ＲＴＳ）信号を送ることなしに送信される。ＵＥがアクティブリレーとして働く場合、ＵＥはＲＴＳ信号を送信し得る。そのような態様では、ＲＴＳ信号は、元のブロードキャスト送信機と同じ制御リソース、または異なるリソース上で送られ得る。さらに、ＵＥがＲＴＳを送信する場合、それは、リレーとして働くべきかどうかを決定するのを支援するために、それが受信する送信可（ＣＴＳ）メッセージからの受信電力レベルを使用し得る。さらに、ＵＥによって使用される送信電力は、電力レベル（ＮＡＣＫ、ＡＣＫ、ＣＴＳなど）測定値の少なくとも部分的に基づき得る。さらに、ブロードキャストＤ２Ｄ通信システムは異なるメンバー（たとえば、ＵＥ）に異なる優先度レベルを割り振り得る。そのような態様では、リレーＵＥは、それ自体を「最低」優先度であるように扱い、他の（ユニキャストまたはブロードキャストまたは他の）リンクのいずれかへのあまりに多くの干渉を生じないように十分小さい送信電力を選定し得る。さらに、そのような態様では、ＵＥ送信電力は、受信されたＣＴＳ電力と比較しきい値とに基づいて決定され得る。別の態様では、リレーＵＥは、それ自体をそれ自体のブロードキャスト送信機と同じ優先度であるように扱い、より優先度の高い通信リンクのみへのあまりに多くの干渉を生じない電力を選定することができる（たとえば、ＵＥは、より優先度の低いリンクへの干渉を生じ得る）。言い換えれば、リレーＵＥは、ＡＣＫ／ＮＡＣＫ、ＣＴＳ電力、元のブロードキャスト送信機の優先度などに応じて、システム中の最高優先度であり得るよりも優先度値、または最低と最高との間の他の値を選択し得る。さらに、そのような態様では、ＵＥ送信電力は、受信されたＣＴＳ電力と比較しきい値とに基づいて決定され得る。
【００５４】
[0063]上記の説明では第１および第２のタイムスロットのみに言及したが、あるタイムスロットから次のタイムスロットへパケット送信が繰り返される場合はいつでもプロセスが実行され得ることを当業者は諒解するであろう。
【００５５】
[0064]図９は、例示的な装置９０２の異なるモジュール／手段／構成要素間のデータフローを示す概念データフロー図９００である。本装置はＵＥ（たとえば、ＵＥ７０４）であり得る。図８に関して説明するように、装置９０２は、受信モジュール９０４と、パケット復号モジュール９０６と、（１つまたは複数の）ＮＡＣＫ電力レベル測定モジュール９０８と、パケットリレー決定モジュール９１０と、送信モジュール９１２とを含む。
【００５６】
[0065]本装置は、図８の上述のフローチャート中のアルゴリズムのステップの各々を実行する追加のモジュールを含み得る。したがって、図８の上述のフローチャート中の各行為／ブロックは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００５７】
[0066]図１０は、処理システム１０１４を採用する装置９０２’のためのハードウェア実装形態の一例を示す図１０００である。処理システム１０１４は、バス１０２４によって概略的に表されるバスアーキテクチャを用いて実装され得る。バス１０２４は、処理システム１０１４の特定の適用例および全体的な設計制約に応じて、任意の数の相互接続バスおよびブリッジを含み得る。バス１０２４は、プロセッサ１００４によって表される１つまたは複数のプロセッサおよび／またはハードウェアモジュールと、モジュール９０４、９０６、９０８、９１０、９１２と、コンピュータ可読媒体１００６とを含む様々な回路を互いにリンクする。バス１０２４はまた、タイミングソース、周辺機器、電圧調整器、および電力管理回路など、様々な他の回路をリンクし得るが、これらの回路は当技術分野においてよく知られており、したがって、これ以上説明しない。
【００５８】
[0067]処理システム１０１４はトランシーバ１０１０に結合され得る。トランシーバ１０１０は１つまたは複数のアンテナ１０２０に結合される。トランシーバ１０１０は、伝送媒体を介して様々な他の装置と通信するための手段を与える。処理システム１０１４は、コンピュータ可読媒体１００６に結合されたプロセッサ１００４を含む。プロセッサ１００４は、コンピュータ可読媒体１００６に記憶されたソフトウェアの実行を含む一般的な処理を担当する。ソフトウェアは、プロセッサ１００４によって実行されたとき、処理システム１０１４に、特定の装置のための上記で説明した様々な機能を実行させる。コンピュータ可読媒体１００６はまた、ソフトウェアを実行するときにプロセッサ１００４によって操作されるデータを記憶するために使用され得る。処理システムは、モジュール９０４、９０６、９０８、９１０、および９１２のうちの少なくとも１つをさらに含む。それらのモジュールは、コンピュータ可読媒体１００６中に常駐する／記憶された、プロセッサ１００４中で動作するソフトウェアモジュールであるか、プロセッサ１００４に結合された１つまたは複数のハードウェアモジュールであるか、またはそれらの何らかの組合せであり得る。処理システム１０１４は、ＵＥ５５０の構成要素であり得、メモリ５６０、および／またはＴＸプロセッサ５６８と、ＲＸプロセッサ５５６と、コントローラ／プロセッサ５５９とのうちの少なくとも１つを含み得る。
【００５９】
[0068]一構成では、ワイヤレス通信のための装置９０２／９０２’は、第１のＵＥによって、ブロードキャスト送信機から第１のタイムスロット中に第１のパケットを受信するための手段と、第１のタイムスロット中に受信されたＮＡＣＫの電力レベルを測定するための手段と、第２のタイムスロット中に第１のパケットを受信するための手段と、ＮＡＣＫの測定された電力レベルに基づいて、第２のタイムスロット中に第１のパケットを送信すべきかどうかを決定するための手段とを含む。一態様では、装置９０２／９０２’決定するための手段は、ＮＡＣＫの測定された電力レベルがしきい値電力レベルを上回ると決定するようにさらに構成され得る。そのような態様では、装置９０２／９０２’は、第２のタイムスロット中に第１のパケットを送信するための手段を含み得る。一態様では、装置９０２／９０２’測定するための手段は、受信されたＡＣＫの電力レベルを測定するようにさらに構成され得る。そのような態様では、装置９０２／９０２’決定するための手段は、ＡＣＫの測定された電力レベルにも基づいて、第２のタイムスロット中に第１のパケットを送信すべきかどうかを決定するようにさらに構成され得る。一態様では、装置９０２／９０２’送信するための手段は、第２のタイムスロット中に第１のパケットとともにＲＴＳを送信するようにさらに構成され得る。一態様では、装置９０２／９０２’は、第１のパケットの正常な受信に応答して第１のタイムスロット中にＡＣＫを送信するための手段を含み得る。
【００６０】
[0069]上述の手段は、上述の手段によって具陳される機能を実行するように構成された、装置９０２の上述のモジュールおよび／または装置９０２’の処理システム１０１４のうちの１つまたは複数であり得る。上記で説明したように、処理システム１０１４は、ＴＸプロセッサ５６８と、ＲＸプロセッサ５５６と、コントローラ／プロセッサ５５９とを含み得る。したがって、一構成では、上述の手段は、上述の手段によって具陳される機能を実行するように構成されたＴＸプロセッサ５６８、ＲＸプロセッサ５５６、およびコントローラ／プロセッサ５５９であり得る。
【００６１】
[0070]開示したプロセスにおけるステップの特定の順序または階層は、例示的な手法の一例であることを理解されたい。設計選好に基づいて、プロセスにおけるステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００６２】
[0071]以上の説明は、当業者が本明細書で説明した様々な態様を実行することができるように与えられた。これらの態様に対する様々な変更は当業者には容易に明らかであり、本明細書で定義された一般原理は他の態様に適用され得る。したがって、特許請求の範囲は、本明細書に示された態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか」という用語は１つまたは複数を指す。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に、本願出願の当初の特許請求の範囲に記載された発明を付記する。
［Ｃ１］
ユーザ機器（ＵＥ）によって、ブロードキャスト送信機から第１のタイムスロット中に第１のパケットを受信することと、
前記第１のタイムスロット中に受信された否定応答（ＮＡＣＫ）の電力レベルを測定することと、
第２のタイムスロット中に前記第１のパケットを受信することと、
前記ＮＡＣＫの前記測定された電力レベルに基づいて、前記第２のタイムスロット中に前記第１のパケットを送信すべきかどうかを決定することと
を備える、ワイヤレス通信の方法。
［Ｃ２］
前記決定することは、前記ＮＡＣＫの前記測定された電力レベルがしきい値電力レベルを上回ると決定することをさらに備え、
前記第２のタイムスロット中に前記第１のパケットを送信すること
をさらに備える、Ｃ１に記載の方法。
［Ｃ３］
前記測定することが、
受信された肯定応答（ＡＣＫ）の電力レベルを測定すること
をさらに備え、前記決定が、前記ＡＣＫの前記測定された電力レベルにさらに基づく、Ｃ１に記載の方法。
［Ｃ４］
前記ＵＥが、リレーとして働くときに最も優先度の低いＵＥとして構成され、前記送信のための送信電力レベルが、システム中の受信機との干渉を生じないように選択される、Ｃ２に記載の方法。
［Ｃ５］
前記ＵＥが、前記ブロードキャスト送信機と等価な優先度として構成され、前記送信のための送信電力レベルが、システム中のより優先度の高い受信機への干渉を生じないように選択される、Ｃ２に記載の方法。
［Ｃ６］
前記送信することが、前記第２のタイムスロット中に前記第１のパケットとともに送信要求（ＲＴＳ）を送信することをさらに備える、Ｃ２に記載の方法。
［Ｃ７］
前記ＲＴＳが、ＲＴＳを送信するために前記ブロードキャスト送信機によって使用される制御リソースを使用して、前記ＵＥによって送信される、Ｃ６に記載の方法。
［Ｃ８］
前記ＲＴＳが、ＲＴＳを送信するために前記ブロードキャスト送信機によって使用される制御リソースとは異なる制御リソースを使用して、前記ＵＥによって送信される、Ｃ６に記載の方法。
［Ｃ９］
前記第１のパケットを送信するために使用される送信電力が、送信可（ＣＴＳ）受信電力にさらに基づく、Ｃ６に記載の方法。
［Ｃ１０］
前記第１のパケットの正常な受信に応答して前記第１のタイムスロット中にＡＣＫを送信すること
をさらに備える、Ｃ１に記載の方法。
［Ｃ１１］
ユーザ機器（ＵＥ）によって、ブロードキャスト送信機から第１のタイムスロット中に第１のパケットを受信するための手段と、
前記第１のタイムスロット中に受信された否定応答（ＮＡＣＫ）の電力レベルを測定するための手段と、
ここにおいて、受信するための前記手段が、第２のタイムスロット中に前記第１のパケットを受信するようにさらに構成され、
前記ＮＡＣＫの前記測定された電力レベルに基づいて、前記第２のタイムスロット中に前記第１のパケットを送信すべきかどうかを決定するための手段と
を備える、通信のための装置。
［Ｃ１２］
決定するための前記手段は、前記ＮＡＣＫの前記測定された電力レベルがしきい値電力レベルを上回ると決定するようにさらに構成され、
前記第２のタイムスロット中に前記第１のパケットを送信するための手段をさらに備える、Ｃ１１に記載の装置。
［Ｃ１３］
測定するための前記手段が、
受信された肯定応答（ＡＣＫ）の電力レベルを測定するようにさらに構成され、前記決定が、前記ＡＣＫの前記測定された電力レベルにさらに基づく、Ｃ１１に記載の装置。
［Ｃ１４］
前記ＵＥが、リレーとして働くときに最も優先度の低いＵＥとして構成され、前記送信のための送信電力レベルが、システム中の受信機との干渉を生じないように選択される、Ｃ１２に記載の装置。
［Ｃ１５］
前記ＵＥが、前記ブロードキャスト送信機と等価な優先度として構成され、前記送信のための送信電力レベルが、システム中のより優先度の高い受信機への干渉を生じないように選択される、Ｃ１２に記載の装置。
［Ｃ１６］
送信するための前記手段が、前記第２のタイムスロット中に前記第１のパケットとともに送信要求（ＲＴＳ）を送信するようにさらに構成された、Ｃ１２に記載の装置。
［Ｃ１７］
前記ＲＴＳが、ＲＴＳを送信するために前記ブロードキャスト送信機によって使用される制御リソースを使用して、前記ＵＥによって送信される、Ｃ１６に記載の装置。
［Ｃ１８］
前記ＲＴＳが、ＲＴＳを送信するために前記ブロードキャスト送信機によって使用される制御リソースとは異なる制御リソースを使用して、前記ＵＥによって送信される、Ｃ１６に記載の装置。
［Ｃ１９］
前記第１のパケットを送信するために使用される送信電力が、送信可（ＣＴＳ）受信電力にさらに基づく、Ｃ１６に記載の装置。
［Ｃ２０］
前記第１のパケットの正常な受信に応答して前記第１のタイムスロット中にＡＣＫを送信するための手段
をさらに備える、Ｃ１１に記載の装置。
［Ｃ２１］
ユーザ機器（ＵＥ）によって、ブロードキャスト送信機から第１のタイムスロット中に第１のパケットを受信することと、
前記第１のタイムスロット中に受信された否定応答（ＮＡＣＫ）の電力レベルを測定することと、
第２のタイムスロット中に前記第１のパケットを受信することと、
前記ＮＡＣＫの前記測定された電力レベルに基づいて、前記第２のタイムスロット中に前記第１のパケットを送信すべきかどうかを決定することと
を行うように構成された処理システム
を備える、通信のための装置。
［Ｃ２２］
前記処理システムは、
前記ＮＡＣＫの前記測定された電力レベルがしきい値電力レベルを上回ると決定することと、
前記第２のタイムスロット中に前記第１のパケットを送信することと
を行うようにさらに構成された、Ｃ２１に記載の装置。
［Ｃ２３］
前記処理システムは、
受信された肯定応答（ＡＣＫ）の電力レベルを測定することと、
前記ＡＣＫの前記測定された電力レベルにさらに基づいて、前記第２のタイムスロット中に前記第１のパケットを送信すべきかどうかを決定することと
を行うようにさらに構成された、Ｃ２１に記載の装置。
［Ｃ２４］
前記ＵＥが、リレーとして働くときに最も優先度の低いＵＥとして構成され、前記処理システムが、システム中の受信機との干渉を生じないように選択される送信電力レベルで送信するようにさらに構成された、Ｃ２２に記載の装置。
［Ｃ２５］
前記ＵＥが、前記ブロードキャスト送信機と等価な優先度として構成され、前記処理システムが、システム中のより優先度の高い受信機への干渉を生じないように選択される送信電力レベルで送信するようにさらに構成された、Ｃ２２に記載の装置。
［Ｃ２６］
前記処理システムが、前記第２のタイムスロット中に前記第１のパケットとともに送信要求（ＲＴＳ）を送信するようにさらに構成された、Ｃ２２に記載の装置。
［Ｃ２７］
前記処理システムが、ＲＴＳを送信するために前記ブロードキャスト送信機によって使用される制御リソースを使用して、前記ＲＴＳを送信するようにさらに構成された、Ｃ２６に記載の装置。
［Ｃ２８］
前記処理システムが、ＲＴＳを送信するために前記ブロードキャスト送信機によって使用される制御リソースとは異なる制御リソースを使用して、前記ＲＴＳを送信するようにさらに構成された、Ｃ２６に記載の装置。
［Ｃ２９］
前記第１のパケットを送信するために使用される送信電力が、送信可（ＣＴＳ）受信電力にさらに基づく、Ｃ２６に記載の装置。
［Ｃ３０］
前記処理システムが、
前記第１のパケットの正常な受信に応答して前記第１のタイムスロット中にＡＣＫを送信する
ようにさらに構成された、Ｃ２１に記載の装置。
［Ｃ３１］
ユーザ機器（ＵＥ）によって、ブロードキャスト送信機から第１のタイムスロット中に第１のパケットを受信することと、
前記第１のタイムスロット中に受信された否定応答（ＮＡＣＫ）の電力レベルを測定することと、
第２のタイムスロット中に前記第１のパケットを受信することと、
前記ＮＡＣＫの前記測定された電力レベルに基づいて、前記第２のタイムスロット中に前記第１のパケットを送信すべきかどうかを決定することと
を行うためのコードを備えるコンピュータ可読媒体
を備える、コンピュータプログラム製品。
［Ｃ３２］
前記ＮＡＣＫの前記測定された電力レベルがしきい値電力レベルを上回ると決定することと、
前記第２のタイムスロット中に前記第１のパケットを送信することと
を行うためのコードをさらに備える、Ｃ３１に記載のコンピュータプログラム製品。
［Ｃ３３］
受信された肯定応答（ＡＣＫ）の電力レベルを測定する
ためのコードをさらに備え、前記決定が、前記ＡＣＫの前記測定された電力レベルにさらに基づく、Ｃ３１に記載のコンピュータプログラム製品。
［Ｃ３４］
前記ＵＥが、リレーとして働くときに最も優先度の低いＵＥとして構成され、前記送信のための送信電力レベルが、システム中の受信機との干渉を生じないように選択される、Ｃ３２に記載のコンピュータプログラム製品。
［Ｃ３５］
前記ＵＥが、前記ブロードキャスト送信機と等価な優先度として構成され、前記送信のための送信電力レベルが、システム中のより優先度の高い受信機への干渉を生じないように選択される、Ｃ３２に記載のコンピュータプログラム製品。
［Ｃ３６］
前記第２のタイムスロット中に前記第１のパケットとともに送信要求（ＲＴＳ）を送信するためのコードをさらに備える、Ｃ３２に記載のコンピュータプログラム製品。
［Ｃ３７］
前記ＲＴＳが、ＲＴＳを送信するために前記ブロードキャスト送信機によって使用される制御リソースを使用して、前記ＵＥによって送信される、Ｃ３６に記載のコンピュータプログラム製品。
［Ｃ３８］
前記ＲＴＳが、ＲＴＳを送信するために前記ブロードキャスト送信機によって使用される制御リソースとは異なる制御リソースを使用して、前記ＵＥによって送信される、Ｃ３６に記載のコンピュータプログラム製品。
［Ｃ３９］
前記第１のパケットを送信するために使用される送信電力が、送信可（ＣＴＳ）受信電力にさらに基づく、Ｃ３６に記載のコンピュータプログラム製品。
［Ｃ４０］
前記第１のパケットの正常な受信に応答して前記第１のタイムスロット中にＡＣＫを送信する
ためのコードをさらに備える、Ｃ３１に記載のコンピュータプログラム製品。
【要約】  ブロードキャストＤ２Ｄ通信システムにおけるパケット通信を改善することに関して、ワイヤレス通信のための方法、装置、およびコンピュータプログラム製品が提供される。一例では、通信デバイスは、ブロードキャスト送信機から第１のタイムスロット中に第１のパケットを受信することと、第１のタイムスロット中に受信されたＮＡＣＫの電力レベルを測定することと、第２のタイムスロット中に第１のパケットを受信することと、ＮＡＣＫの測定された電力レベルに基づいて、第２のタイムスロット中に第１のパケットを送信すべきかどうかを決定することとを行う能力がある。通信デバイスが、ＮＡＣＫの測定された電力レベルがしきい値電力レベルを上回ると決定するそのような態様では、通信デバイスはリレーとして働き、第２のタイムスロット中に第１のパケットを送信し得る。【図１】
0005981082.tif 000002
【図２】
0005981082.tif 000003
【図３】
0005981082.tif 000004
【図４】
0005981082.tif 000005
【図５】
0005981082.tif 000006
【図６】
0005981082.tif 000007
【図７】
0005981082.tif 000008
【図８】
0005981082.tif 000009
【図９】
0005981082.tif 000010
【図１０】
0005981082.tif 000011